【手続補正書】
【提出日】平成21年8月13日(2009.8.13)
【手続補正１】
【補正対象書類名】明細書
【補正対象項目名】全文
【補正方法】変更
【補正の内容】
【発明の詳細な説明】
【発明の名称】雨水等の貯留浸透施設
【技術分野】
【０００１】
本発明は、雨水の貯留浸透施設を構成する単位部材の技術に属する。
【背景技術】
【０００２】
雨水の流出抑制を目的として、プラスチックなどで製造された図6に示すような単位部材１００を配設し、その周囲を適宜シートで覆った雨水貯留浸透施設が普及している。この目的のために、各種の形状の部材が例えば特開昭62-101097、特開昭62-126179、特開平9-296486、特開平 10-252108、特開平10-115778、特開平11-43971、特開平11-222886などに提案され、かつ使用されている。いずれの方法も部材を配設し、その周囲を透水性もしくは遮水性のシート類で覆い、その内部空間に雨水を貯蔵して貯留浸透施設とするものである。かかる部材は軽量盛土の芯として使用することが提案されているものもある。
【０００３】
本発明は、上記単位部材にかわる新規な単位部材を提案するものである。
【０００４】
【特許文献１】特開昭62-101097
【特許文献２】特開昭62-126179
【特許文献３】特開平9-296486
【特許文献４】特開平10-252108
【特許文献５】特開平10-115778
【特許文献６】特開平11-43971
【特許文献７】特開平11-222886
【発明の開示】
【発明が解決しようとする課題】
【０００５】
本発明は、雨水貯留浸透施設を構成する新規な単位部材の提案である。
【課題を解決するための手段】
【０００６】
本第1の発明は、地下に、コ状部材とコ状部材間に配設される支持部材兼間隔保持部材、天井部材、壁材からなり、前記コ状部材を組み合わせて矩形断面を有する矩形部材と支持部材兼間隔保持部材を配設して貯留空間を形成し、貯留空間の天井部、周側面をそれぞれ天井部材および壁材で覆い、さらにシートで覆ったことを特徴とする雨水等の貯留浸透施設であり、内部の良好な見通しと、内部点検と清掃等の維持管理性の向上を図るため、コ状部材を組み合わせた矩形部材と支持部材兼間隔保持部材を配設して貯留空間を形成した。
本第２の発明は、地下に、矩形断面の筒状部材と当該筒状部材間に配設される支持部材兼間隔保持部材と天井部材、壁材からなり、前記筒状部材と支持部材兼間隔保持部材を配設して貯留空間を形成し、貯留空間の天井部、周側面をそれぞれ天井部材および壁材で覆い、さらにシートで覆ったことを特徴とする雨水等の貯留浸透施設であり、内部の良好な見通しと、内部点検と清掃等の維持管理性の向上を図るため、筒状部材と支持部材兼間隔保持部材を配設して貯留空間を形成した。
【発明の効果】
【０００７】
本第1の発明は、コ状部材を組み合わせた矩形断面を有する矩形部材と支持部材兼間隔保持部材を配設して貯留空間を形成するため、内部の見通しが良好となり、内部点検と清掃等の維持管理性が向上した。
本第２の発明は、筒状部材と支持部材兼間隔保持部材を配設して貯留空間を形成するため、内部の見通しが良好となり、内部点検と清掃等の維持管理性が向上した。
【発明を実施するための最良の形態】
【０００８】
以下本発明を図により詳細に説明する。
図1は本発明の貯留浸透槽を形成する元になるコ状単位部材および支持部材兼間隔保持部材（以後、支持部材という。）の例を示す図であって、（ａ）はコ状単位部材の図、（ｂ）は支持部材の図である。
コ状単位部材１は図に示すようにコ状であり、端面同士をつき合わせることで矩形断面を有する矩形部材６となる。コ状を形成する２辺の長さが異なっていても、端面同士をつき合わせることで矩形断面が得られればよい。
コ状単位部材１は端面および側面に互いにあるいは支持部材２と契合するための契合孔１１が設けられている。支持部材２は矩形部材６間の距離を一定の距離に保つために使用される。支持部材２は主として矩形部材６間の間隔を保持するため使用されるものであり、その形状はその目的を果たせる限り限定されない。
【０００９】
図２は、コ状単位部材１を組み合わせた矩形断面の矩形部材６と支持部材２を配設して、貯留空間７を形成する概念図である。コ状部材１を２個組み合わせて矩形部材６を形成する。この矩形部材６と支持部材２を交互に配設し、横方向に貯留空間７を広げる。図では支持部材２を矩形部材６の上端と下端に挿入している。上下方向は矩形部材６の上に矩形部材６を載せ同じように横方向に並べ２段目を形成する。これを順次繰り返し必要な容積が得られるよう配設する。コ状単位部材１とコ状単位部材１を契合して矩形部材６を形成する場合、矩形部材６と矩形部材６とを上下方向に契合する場合、矩形部材６と支持部材２を契合する場合等、それぞれに設けた契合孔１１，２１を介し、ボルト、ナットで契合することができる。
【００１０】
図３は、本第２の発明の貯留浸透槽を形成する矩形断面を有する筒状部材３と間隔保持兼支持部材４（以下支持部材という。）の例を示す図であって、（ａ）は筒状部材の図、（ｂ）は支持部材の図である。
図に示す筒状部材３は正方形断面を有する長尺の四角い筒であり、支持部材４の支持面の幅を筒状部材における正方形断面の辺の長さの３倍としているが、この数字に限定されるものではない。
図４に示すように、支持部材４上の両端に筒状部材３を並べ、上の支持部材４上には直角方向に筒状部材３を並べて、貯留空間７を形成している。
支持部材４の形状も矩形である必要はなく、筒状部材３をはめ込めるような凹部を有するものでもよい。
【００１１】
上記いずれの発明においても、貯留空間の天井部および周辺部には土砂の浸入を防ぐため、適宜開いている空間に応じた平板などで形成された天井部材、壁材で覆う。その後、雨水流出抑制、有効利用など槽を利用する目的に応じ、あるいは使用する場所に応じ適切なシートで覆い、目的の雨水等の貯留浸透施設として使用する。一般的には、雨水流出抑制を目的として使用する場合には、地下水の有無に応じ、地下水位が低く槽が地下水より高い位置にある場合には浸透槽として浸透シートで覆い、地下水位が高く、槽に地下水が浸入する可能性のある場所では遮水シートで覆い地下水の槽への浸入を防止する。図５にその一例を示す。
【００１２】
上記単位部材および支持部材の材質は従来の単位部材と同様、射出成形可能なポリオレフィン例えばポリプロピレン、ハイインパクトポリスチレンなどであり、必要に応じてステンレススチールなどの金属製、あるいはコンクリート製であってもよい。
【図面の簡単な説明】
【００１３】
【図１】本第１の発明に使用するコ状部材および支持部材の例を示す図であって、（ａ）はコ状単位部材の図、（ｂ）は支持部材の図である。
【図２】本第1の発明である貯留浸透施設の貯留空間を形成する概念図である。
【図３】本第２の発明に使用する筒状部材および支持部材の例を示す図であって、（ａ）は筒状部材の図、（ｂ）は支持部材の図である。
【図４】本第２の発明である貯留浸透施設の貯留空間を形成する概念図である。
【図５】流出抑制、有効利用に使用する貯留浸透槽の例である。
【図６】（ａ）〜（ｆ）は従来の単位部材の例を示す図である。
【符号の説明】
【００１４】
１ コ状単位部材
２ コ状単位部材用支持部材兼間隔保持部材
３ 筒状部材
４ 筒状単位部材用支持部材兼間隔保持部材
５ 雨水貯留浸透施設
６  矩形部材
７  貯留空間
１１，２１，３１，４１  契合孔
１００  従来の単位部材
【手続補正２】
【補正対象書類名】図面
【補正対象項目名】全図
【補正方法】変更
【補正の内容】
【図１】
2008038341.tif 000001
【図２】
2008038341.tif 000002
【図３】
2008038341.tif 000003
【図４】
2008038341.tif 000004
【図５】
2008038341.tif 000005
【図６】
2008038341.tif 000006